(57)【要約】【課題】灯体を容易に筐体から引き出し、且つ、収容可能な照明器具を実現する照明器具を提供する。【解決手段】少なくとも１つの開口３１を有する筐体２１と、筐体２１内に収容可能な灯体２２と、灯体２２を保持する灯体支持部２３と、を有し、灯体支持部２３は、灯体２２を筐体２１の開口３１から筐体２１の内側に向かう方向に沿って押す切り替え操作により、係合若しくは非係合の切り替えが行われるラッチ機構５１と、灯体２２を切り替え操作の方向とその逆方向へスライド可能なスライド可動機構５２と、を有する。また、筐体２１の開口３１に挿通口７１を有するカバー２４を有し、灯体２２はカバー２４の挿通口７１を通じて、筐体２１の外部に露出可能に形成したことが好ましい。【選択図】図５
2017182931.tif 000002
【特許請求の範囲】
【請求項１】
少なくとも１つの開口を有する筐体と、
前記筐体内に収容可能な灯体と、
前記灯体を保持する灯体支持部と、を有し、
前記灯体支持部は、
前記灯体を前記筐体の開口から筐体の内側に向かう方向に沿って押す切り替え操作により、係合若しくは非係合の切り替えが行われるラッチ機構と、
前記灯体を前記切り替え操作の方向とその逆方向へスライド可能な可動機構と、を有する照明器具。
【請求項２】
請求項１に記載の照明器具であって、
前記筐体の前記開口に挿通口を有するカバーを有し、
前記灯体は前記カバーの挿通口を通じて、前記筐体の外部に露出可能に形成した照明器具。
【請求項３】
請求項１または請求項２に記載の照明器具であって、
前記筐体は、複数の灯体を収納可能であり、前記複数の灯体にそれぞれ灯体支持部を有する照明器具。
【請求項４】
請求項１から請求項３のいずれか一項に記載の照明器具であって、
前記灯体は回動可能に取り付けられる照明器具。
【発明の詳細な説明】
【技術分野】
【０００１】
本発明は、照明器具に関する。
【背景技術】
【０００２】
従来、天井若しくは壁に埋設され、下方を照らす照明器具が知られている（例えば、特許文献１参照）。
特許文献１には、灯箱の内側に、案内板と、コード収容皿と、収容皿の下面に回動可能に取り付けたコ字形ブラケットと、ブラケットの両脚間に回動可能且つその回動位置に止め得るように取り付けられた照明器箱を有する照明器具が知られている。案内板には水平鍵手にした縦長孔が設けられており、縦長孔とコード収容皿に設けたピンによって上下方向に照明器箱を移動させることができる。
【先行技術文献】
【特許文献】
【０００３】
【特許文献１】実公昭５０−００６２２９号公報
【発明の概要】
【発明が解決しようとする課題】
【０００４】
しかしながら、特許文献１に開示された照明器具においては、灯箱から照明器箱を下方へ引き出すために、灯箱内に照明器箱が収容された状態において照明器箱の外周縁部付近を手指で掴むことのできるような窪みや突出部を設ける必要があった。照明器具の外周縁部付近に窪みや突出部を設けることは、照明器具の大型化や、デザインの自由度を狭める場合があった。
また、照明器箱を灯箱内に再度収容すると、縦長孔の鍵手孔に収容皿に設けたピンを係止させる為に収容皿を回動させる必要がある。照明器箱を収容した状態で収容皿を回動させることは困難であった。
【０００５】
そこで、本発明は、上記課題に鑑みてなされたものであり、大型化させずに、灯体を容易に筐体から引き出し、且つ、収容可能な照明器具を実現する照明器具を提供することを目的とする。
【課題を解決するための手段】
【０００６】
本発明の解決しようとする課題は以上の如くであり、次にこの課題を解決するための手段を説明する。
【０００７】
すなわち、本願に開示する照明器具は、
少なくとも１つの開口を有する筐体と、
前記筐体内に収容可能な灯体と、
前記灯体を保持する灯体支持部と、を有し、
前記灯体支持部は、
前記灯体を前記筐体の開口から筐体の内側に向かう方向に沿って押す切り替え操作により、係合若しくは非係合の切り替えが行われるラッチ機構と、
前記灯体を前記切り替え操作の方向とその逆方向へスライド可能な可動機構と、を有するものである。
【０００８】
本願に開示する照明器具において、
前記筐体の前記開口に挿通口を有するカバーを有し、
前記灯体は前記カバーの挿通口を通じて、前記筐体の外部に露出可能に形成したことが好ましい。
【０００９】
本願に開示する照明器具において、
前記筐体は、複数の灯体を収納可能であり、前記複数の灯体にそれぞれ灯体支持部を有することが好ましい。
【００１０】
本願に開示する照明器具において、
前記灯体は回動可能に取り付けられることが好ましい。
【発明の効果】
【００１１】
本発明によれば、大型化させずに、灯体を容易に筐体から引き出し、且つ、収容可能な照明器具を実現することができる。
【図面の簡単な説明】
【００１２】
【図１】本発明の一実施形態に係る照明器具を取付面に取り付けた状態を示す正面図。
【図２】同じく灯具本体を示す下方斜視図。
【図３】同じく灯具本体を示す底面図。
【図４】同じく灯具本体を示す側面図。
【図５】同じく灯具本体を示す正面断面図。
【図６】同じく灯体が固定解除状態にあるときの灯具本体を示す正面断面図。
【図７】本発明の第二の実施形態に係る照明器具を取付面に取り付けた状態を示す正面図。
【図８】同じく灯具本体を示す底面図。
【図９】同じく灯具本体を示す側面図。
【図１０】同じく灯具本体を示す正面断面図。
【図１１】同じく灯体が固定解除状態にあるときの灯具本体を示す正面断面図。
【発明を実施するための形態】
【００１３】
本発明の実施形態に係る照明器具１００について、図１から図６を用いて説明する。照明器具１００は、図１に示すように、取付面となる天井Ｃに形成された、例えば、丸型の取付穴Ｈに埋め込まれて設置されるダウンライトである。以下の説明では、照明器具１００の上下方向は、照明器具１００が天井Ｃに設置された状態における上下方向（図１における上下方向）として説明する。上下方向に直交する方向を径方向として説明する。また、本実施形態の説明において、上方から照明器具１００等を視た状態を平面視とする。上下方向に対して直交方向から照明器具１００等を視た状態を側面視とする。照明器具１００等の断面形状を視た状態を断面視とする。
【００１４】
照明器具１００は、図１に示すように、灯具本体１１と、電源部１２とを主に備える。灯具本体１１は、電源部１２と電線によって電気的に接続される。灯具本体１１は、電源部１２と電線によって電気的に接続される。保持部材により灯具本体１１と電源部１２とを連結し、電源部１２を灯具本体１１の側方に保持しても良い。
【００１５】
灯具本体１１は、図１、図２、図５及び図６に示すように、筐体２１と、筐体２１内に収容可能な灯体２２と、灯体２２を支持する灯体支持部２３と、カバー２４と、取付バネ８１と、を有する。
【００１６】
筐体２１は、照明器具１００の照射面側が開口された筒状の部材である。本実施形態の筐体２１は、筒状部２１ａと天板部２１ｂを組み合わせて有底筒状に形成している。筒状部２１ａの開口３１の外周縁には、径方向に延在するフランジ部２１ｃを有している。また、筐体２１の筒状部２１ａの側面には、バネ取付部３２が複数（本実施形態では、２つ）略均等配置されている。また、筐体２１の上側内周面（天板部２１ｂの下面）にはラッチ機構５１を構成する係合用凸部材３３が固設されている。また、筐体２１の上側内周面（天板部２１ｂの下面）には、スライド可動機構５２を構成する長板部材３４が固設されている。筐体２１の開口３１（筒状部２１ａの開口３１）にはカバー２４が設けられている。
【００１７】
フランジ部２１ｃは、筐体２１の外周縁に設けられた部材である。フランジ部２１ｃは、カバー２４のフランジ部７２と接合するための部材である。埋込型の照明器具１００を取付面に取り付けるときにフランジ部２１ｃが取付面に係止されて、埋込型の照明器具１００を取付面の所定の位置に取り付けることができる。
【００１８】
バネ取付部３２は、取付バネ８１を当接してネジ８２で取り付けるためのものである。本実施形態においては、バネ取付部３２は、筐体２１の外周周りに等間隔に二か所配置されている。
【００１９】
係合用凸部材３３は、ラッチ機構５１を構成する部品であり、押し込み部（例えば、凸形状の先端）が形成されたキーパ（ストライカともいう）で構成されている。係合用凸部材３３は筐体２１に取り付けるための取付部８３を有しており、筐体２１の上側内周面に設けられた係合孔に固定ネジ８４を貫入することにより、係合用凸部材３３は筐体２１に固定される。
【００２０】
長板部材３４は、スライド可動機構５２を構成する板状の部材であり、長板部材３４の幅方向中央部には長手方向と平行な長溝８５が設けられている。長板部材３４の上端部は折り曲げ加工でＬ字状に形成されており、前記上端部を筐体２１内壁面（天板部２１ｂの下面）に当接させてネジ等で固定することにより、長板部材３４は筐体２１に固定される。
【００２１】
灯体２２は、照射面側に向けて光を出射する部分である。灯体２２は、筐体２１の内部に設けられており、筒状体４１、透光パネル４２、光源４３、第１回動機構４５、第２回動機構４６を構成する水平回動軸４７、を有する。また、灯体２２の上方には、灯体２２を保持するための灯体支持部２３が設けられている。
【００２２】
筒状体４１は、第１回動機構４５によって回動可能に支持されている。第１回動機構４５を支点とした回動方向は、上下方向と直交する方向を回転軸として回動する方向である。
【００２３】
透光パネル４２は、光源４３からの光を配光制御するための光学部材であり、筒状体４１の下端に配置されている。透光パネル４２は、透光性の高い化学的に安定した光学材料（例えばアクリル樹脂、ポリカーボネート、ガラスなど）を適用して形成される。本実施形態では、透光パネル４２を用いたが、これに限定されない。必要に応じてレンズ部材などの光学部材を用いても良い。
【００２４】
光源４３は、光を発生させる部材であり、筒状体４１の下部に配置されている。光源４３は、ＬＥＤ素子を適用して形成される。
なお、本実施形態では、光源としてＬＥＤ素子を用いたが、光源の種類はＬＥＤ素子に限定されず、例えばＣＯＢ型発光モジュールや有機ＥＬ素子（ＯＬＥＤ）などであっても実現可能である。
【００２５】
第１回動機構４５は、筒状体４１を回動可能に支持する機構であり、回動軸９１と、回動軸９１を支持する回動支持台９２と、を備える。回動軸９１は、上下方向と直交する方向に横架されており、筒状体４１に設けられた回動孔に挿通される。また、回動軸９１は回動支持台９２に支持されている。回動支持台９２は、回動軸と同様の直径を持つ台部９２ａと、回動軸９１を支持する支持板部９２ｂとから構成される。台部９２ａは、水平回動軸４７を介して、灯体支持部２３に回動可能に支持されている。支持板部９２ｂは、回動軸９１の両端を支持している。
【００２６】
第２回動機構４６は、灯体２２を水平方向に回動可能に支持する機構であり、水平回動軸４７と、灯体支持部２３に設けられた回動軸支持部５３とを有する。
【００２７】
灯体支持部２３は、上下軸方向を中心として灯体２２を水平方向に回動可能に保持する部材であり、Ｕ字を９０度回動した形状のブラケット部材５０を有する。また、灯体支持部２３は、ラッチ機構５１の一部を構成する係合用凹部材６１と、スライド可動機構５２の一部を構成する摺動部材６２とを有する。灯体２２を筐体２１の開口３１から筐体２１の内側に向かう方向に沿って押す操作（図５の矢印Ａ方向に灯体２２を押す操作）を行うことにより、ラッチ機構５１の係合若しくは非係合の切り替えが行われる。以下、この灯体２２を押す操作をラッチ機構５１の切り替え操作とし、灯体２２を押す方向を切り替え操作の方向とする。摺動部材６２と後述する長板部材３４とによって、灯体２２をラッチ機構５１の切り替え操作の方向とその逆方向（図５、図６における上下方向）にスライド移動可能とする。
また、灯体支持部２３は、第２回動機構４６を構成する回動軸支持部５３を有する。
【００２８】
ブラケット部材５０は、板金部材を折り曲げ加工してＵ字を９０度回動した形状に形成された部材であり、上面部５０ａ、下面部５０ｂ及び右側面部５０ｃから構成されている。上面部５０ａ及び下面部５０ｂは径方向に平行に配置されており、右側面部５０ｃは、上下方向に平行に配置されている。
【００２９】
ラッチ機構５１は、係合用凸部材３３と、係合用凹部材６１とを有する機構である。係合用凹部材６１は、ブラケット部材５０の上面部５０ａに固定されている。係合用凹部材６１は、受け部（例えば、挿入口）が形成されたラッチ本体で構成されている。
【００３０】
スライド可動機構５２は、灯体２２をラッチ機構５１の切り替え操作方向とその逆方向（図５、図６における上下方向）に摺動させる機構である。スライド可動機構５２は、長板部材３４と、摺動部材６２と、を有する。摺動部材６２は、長板部材３４に設けられた長溝８５に沿って摺動可能に係合されている。長溝８５は、ラッチ機構５１の切り替え操作方向と同様に筐体２１の開口３１から筐体２１の内側に向かう方向に沿って設けられている。摺動部材６２はネジ６２ａと弾性部材６２ｂとを有する。ネジ６２ａは、長溝８５に挿通されるとともにブラケット部材５０の右側面部５０ｃの貫通孔を挿通し、挿通されたネジ６２ａに弾性部材６２ｂを縮めた状態で外装して弾性部材６２ｂの一端がネジ６２ａの先端部に固定される。弾性部材６２ｂは、ネジ６２ａの先端部とブラケット部材５０の右側面部５０ｃとの間に設けられブラケット部材５０の右側面部５０ｃを長板部材３４に向けて押圧する弾性力を発生させる。
【００３１】
回動軸支持部５３は、第２回動機構４６を構成する部分であり、灯体２２を水平方向に回動可能に支持する部分である。回動軸支持部５３は、下面部５０ｂに設けられており、水平回動軸４７を貫入して回動可能に支持する筒状の部材で形成されている。
【００３２】
カバー２４は、筐体２１の開口３１を部分的に被覆する部材であり円状に形成されている。また、カバー２４には、その中心部に、灯体２２を挿通可能な挿通口７１が設けられている。また、カバー２４の外周縁には、フランジ部２１ｃと接合するためのフランジ部７２が設けられている。カバー２４は、フランジ部７２以外の部分がフランジ部７２よりも上方に膨出するように形成されている。
【００３３】
取付バネ８１は、埋込型照明器具１００を天井Ｃの取付穴Ｈに埋め込んで取り付けるための固定手段である。
【００３４】
次に、本実施形態に係る照明器具１００の灯体２２の固定状態及び固定解除状態について図５及び図６を用いて説明する。
まず、ラッチ機構５１の動作について説明する。
ラッチ機構５１は、押す操作により係合用凸部材３３の押し込み部が係合用凹部材６１の受け部に挿入される。さらに、係合用凹部材６１の内部の係合作動点まで押し込まれると、係合用凸部材３３が係合用凹部材６１に引っ掛かった状態（すなわち、ラッチ機構５１が係合状態）となる。また、ラッチ機構５１が係合状態において、再度の押す操作によって係合状態が解除される（すなわち、ラッチ機構５１が非係合状態となる）。より詳細には、係合用凹部材６１の押し込み部が係合用凹部材６１の内部の係合解除点まで押し込まれると、係合用凸部材３３と係合用凹部材６１との係合が解除されて、係合用凹部材６１の押し込み部が係合用凹部材６１の受け部から解放される。
【００３５】
照明器具１００は、灯体２２を押す操作を行うことにより、ラッチ機構５１の係合、若しくは非係合状態を切り替えることができる。すなわち、灯体２２を押す操作をすることにより、係合用凸部材３３の押し込み部が係合用凹部材６１の受け部に挿入されて係合用凹部材６１の内部の係合作動点まで押し込まれると、係合用凸部材３３が係合用凹部材６１に引っ掛かって係合された状態となり、灯体２２及び灯体支持部２３が筐体２１内の所定の位置に保持される。
ラッチ機構５１の係合状態においては、灯体２２の下端とカバー２４の挿通口７１周縁とが水平方向において略一致するように配置されている。すなわち、灯体２２及び灯体支持部２３が保持状態にあるとき、カバー２４の下面と灯体２２の下端面とが平面上に配置される。
【００３６】
また、照明機具１００は、ラッチ機構５１が係合状態で再び灯体２２を押す操作を行うことにより、係合解除状態（ラッチ機構５１が非係合状態）となる。すなわち、ラッチ機構５１は、係合用凸部材３３が係合用凹部材６１に引っ掛かった状態（すなわち、ラッチ機構５１が係合状態）で再度の押す操作により係合用凹部材６１の押し込み部が係合用凹部材６１の内部の係合解除点まで押し込まれると、係合が解除された状態となる。ラッチ機構５１が非係合状態においては、灯体２２及び灯体支持部２３が筐体２１の天板部２１ｂから離間できる。
図６に示すように、ラッチ機構５１が非係合状態においては、灯体２２の下端面である透光パネル４２がカバー２４の挿通口７１周縁と比較して水平方向において下方に所定長突出するように配置されている。すなわち、ラッチ機構５１が非係合状態にあるとき、灯体２２の下端面がカバー２４の下面よりも所定長下方に配置される。このように、ラッチ機構５１が非係合状態では、カバー２４の挿通口７１から灯体２２の下端が所定長突出しているため、使用者は、当該突出した灯体２２の下端を手指で把持して灯体２２を筐体２１内から外部に容易に引き出すことができる。こうして、灯体２２は、カバー２４の挿通口７１を通じて、筐体２１の外部に露出可能に形成されている。いわゆるプッシュインプッシュアウトタイプ、又は、プッシュ／プッシュタイプと通称されるものである。このような動作は、押しボタンスイッチの分野におけるオルタネイト動作（位置保持型、プッシュオン・プッシュオフ型）と同様のものである。
【００３７】
ラッチ機構５１が非係合状態にあるとき、灯体２２及び灯体支持部２３は、スライド可動機構５２によって、ラッチ機構５１の切り替え操作方向とその逆方向（図５、図６における上下方向、以下では例示的に上下方向として説明する。）に摺動可能に支持される。すなわち、灯体支持部２３の摺動部材６２を長板部材３４の長溝８５に係合した状態で長溝８５に沿って移動させることにより、灯体２２及び灯体支持部２３は、スライド可動機構５２によって上下方向に摺動する。また、灯体２２を上下方向に移動させるときは、灯体２２に弾性部材６２ｂの弾性力に抗する力をかけることで摺動部材６２が摺動し、灯体２２と灯体支持部２３が上下方向に移動する。また、灯体２２及び灯体支持部２３を任意の位置で停止させるときは、灯体２２に弾性部材６２ｂの弾性力に抗する力をかけるのを停止する。このとき、弾性部材６２ｂの弾性力によって、長板部材３４と摺動部材６２との間に摩擦力を発生し、灯体２２及び灯体支持部２３は任意の位置で停止することができる。
【００３８】
次に、灯体２２の回動について図６を用いて説明する。
灯体２２は、第１回動機構４５によって、灯体２２の筒状体４１を回動支持台９２に対して傾斜させるように回動することができる。また、灯体２２は、第２回動機構４６によって、上下方向に平行な水平回動軸４７を中心として水平回動を行うことができる。
これにより、図６に示すように、照明器具１００の直下のみでなく、周辺に向けて光を照射することができる。
【００３９】
＜本実施形態による効果＞
本実施形態における照明器具１００は、灯体２２が筐体２１内で保持状態にあるとき、カバー２４の下面と灯体２２の下端面とが平面上に配置されることにより、意匠性が向上する。また、このような状態のとき、天井Ｃ等の取付面から突出部を設ける必要が無くなるため、取付面に突出の少ない照明空間を実現できる。
また、ラッチ機構５１が非係合状態にあるときに、灯体２２の下端面がカバー２４の下面よりも下方に配置される。これにより、灯体２２を筐体２１内から外側に引き出す際に、灯体２２の下端付近を把持して筐体２１から容易に引き出すことができる。灯体２２を筐体２１内に完全に収容する形状としても、ラッチ機構５１の係合状態を解除することにより灯体２２の下端をカバー２４よりも下方に配置する。そのため、灯体２２を筐体２１内に完全に収容した状態において、窪みや突出部などの灯体２２を把持するための部分を別途設ける必要がない。灯体２２を把持するための部分を設けないので、照明器具１００の大型化を防ぐ。
【００４０】
本実施形態によれば、灯体２２を容易に筐体２１から引き出し、且つ、収容可能な照明器具１００を実現することができる。
【００４１】
＜第二の実施形態＞
また、図７から図１１に示すように照明器具２００は、灯体１２２を複数備える構成とすることもできる。
第二の実施形態に係る照明器具２００は、灯具本体１１１を有する。なお、第二の実施形態の説明において、第一の実施形態と同一の符号を付した部材については第一の実施形態における部材と同様の構成であるので説明を省略する。
【００４２】
灯具本体１１１は、筐体２１と、筐体２１内に収容可能な複数の灯体１２２と、各灯体１２２を保持する灯体支持部１２３と、カバー２４と、取付バネ８１と、を有する。
【００４３】
灯体１２２は、灯具本体１１１を構成する部材であり、照射面側に向けて光を出射する部分である。灯体１２２は、筐体２１の内部に設けられている。また、灯体１２２の上方には、灯体１２２を保持するための灯体支持部１２３が設けられている。本実施形態においては、灯体１２２は、三個設けられている。
なお、灯体１２２及び灯体支持部１２３の各部の構成は、第一実施形態に係る灯体２２の構成と同様の構成であるので、説明を省略する。
【００４４】
カバー２４には、各灯体１２２及び灯体支持部１２３を挿通可能な挿通口７１が三個設けられている。
また、バネ取付部３２は、筐体２１の筒状部２１ａの外周周りに略等間隔に数箇所（本実施形態では、３箇所）配置されている。
【００４５】
次に本実施形態に係る照明器具２００の各灯体１２２の保持状態について図１０及び図１１を用いて説明する。各灯体１２２は、それぞれ灯体支持部１２３に保持されている。各灯体支持部１２３は、個別にラッチ機構５１とスライド可動機構５２を有する。各ラッチ機構５１は、それぞれ係合状態及び非係合状態とすることができる。各スライド可動機構５２は、それぞれ任意の位置に灯体１２２と灯体支持部１２３を移動させることができる。
【００４６】
まず、ラッチ機構５１の動作について説明する。
照明器具２００は、灯体１２２を開口３１から筐体２１の内側に向かう方向に沿って押す操作を行うことにより、ラッチ機構５１の係合若しくは非係合状態を切り替える。すなわち、灯体１２２を押す操作をすることにより、係合用凸部材３３の押し込み部が係合用凹部材６１の受け部に挿入されて係合用凹部材６１の内部の係合作動点まで押し込まれると、係合用凸部材３３が係合用凹部材６１に引っ掛かって係合された状態となり、各灯体１２２及び灯体支持部１２３が筐体２１内に保持される。
各灯体１２２が筐体２１内に保持された状態においては、各灯体１２２の下端面である透光パネル４２とカバー２４の挿通口７１周縁とが水平方向において略一致するように配置されている。すなわち、灯体１２２が筐体２１内に保持された状態にあるとき、カバー２４の下面と灯体１２２の下端面とが平面上に配置される。
【００４７】
また、照明機具１００は、ラッチ機構５１が係合された状態で再び灯体１２２を押す操作を行うことにより、係合解除状態（以下、非係合状態）となる。すなわち、ラッチ機構５１は、係合用凸部材３３が係合用凹部材６１に引っ掛かった状態（すなわち、係合状態）で再度の押す操作により係合用凹部材６１の押し込み部が係合用凹部材６１の内部の係合解除点まで押し込まれると、係合が解除された状態となり、灯体１２２及び灯体支持部１２３が筐体２１から離間される。
図１１に示すように、非係合状態においては、灯体１２２の下端面である透光パネル４２がカバー２４の挿通口７１周縁と比較して水平方向において下方に所定長突出するように配置されている。すなわち、非係合状態にあるとき、灯体１２２の下端面はカバー２４の下面よりも所定長下方に配置される。このように、非係合状態では、カバー２４の挿通口７１から灯体１２２の下端が所定長突出している。そのため、使用者は、当該突出した灯体２２の下端を手指で把持して灯体１２２を筐体２１内から外部に容易に引き出すことができる。こうして、灯体１２２は、カバー２４の挿通口７１を通じて、筐体２１の外部に露出可能に形成されている。
【００４８】
非係合状態にあるとき、灯体１２２及び灯体支持部１２３は、スライド可動機構５２によって、ラッチ機構５１の切り替え操作方向とその逆方向（図１０、図１１における上下方向、以下は例示的に上下方向として説明する。）に摺動可能に支持される。すなわち、灯体支持部１２３の摺動部材６２を長板部材３４の長溝８５に係合した状態で長溝８５に沿って移動させる。これにより、灯体１２２及び灯体支持部１２３は、スライド可動機構５２によって上下方向に摺動する。また、灯体１２２を上下方向に摺動するときは、灯体１２２に弾性部材６２Ｂの弾性力に抗する力をかけることで摺動する。また、灯体１２２及び灯体支持部１２３を任意の位置で停止させるときは、灯体１２２に弾性部材６２ｂの弾性力に抗する力をかけるのを停止する。このとき、弾性部材６２ｂの弾性力によって、長板部材３４と摺動部材６２との間に摩擦力が発生し、灯体１２２及び灯体支持部１２３は停止する。
【００４９】
次に、各灯体１２２の回動について図１１を用いて説明する。各灯体１２２は、個別に回動することができる。
灯体１２２は、第１回動機構４５によって、灯体１２２の筒状体４１を回動支持台９２に対して傾斜させるように個別に回動することができる。また、灯体１２２は、第２回動機構４６によって、上下方向に平行な水平回動軸４７を中心として個別に水平回動を行うことができる。
これにより、図１１に示すように、１個もしくは複数の灯体１２２を使用者が手指で動作させて照明器具１００の直下のみでなく、斜め方向や側面方向等の任意の方向に向けて光を照射することができる。
【００５０】
＜本実施形態による効果＞
本実施形態における照明器具２００は、灯体１２２が筐体２１内で保持状態にあるとき、カバー２４の下面と各灯体１２２の下端面とが平面上に配置されることにより、意匠性が向上する。また、このような状態のとき、天井Ｃ等の取付面から突出部を設ける必要が無くなるため、取付面に突出の少ない照明空間を実現できる。
また、ラッチ機構５１が非係合状態にあるとき、灯体１２２の下端面はカバー２４の下面よりも下方に配置される。このことにより、灯体１２２の下端付近を把持して筐体２１から容易に引き出すことができる。灯体１２２を筐体２１内に完全に収容する形状としても、ラッチ機構５１の係合状態を解除することにより灯体１２２の下端をカバー２４よりも下方に配置する。そのため、灯体２２を筐体２１内に完全に収容した状態において、窪みや突出部などの灯体２２を把持するための部分を別途設ける必要がない。灯体２２を把持するための部分を設けないので、照明器具１００の大型化を防ぐ。
また、複数の灯体１２２をそれぞれ独立してスライド可能に可動させ、又は回動させることができ、より自由に周辺に向けて光を照射することができる。
【００５１】
本実施形態によれば、複数の灯体１２２を容易に筐体２１から引き出し、且つ、収容可能な照明器具２００を実現することができる。
【００５２】
なお、灯体支持部の構成は本実施形態に限定するものではなく、例えば、ブラケット部材を口の字型の部材で構成することも可能である。
また、スライド可動機構は本実施形態に係る構成に限定するものではなく、例えば、レール部材とスライダ部材とで構成する構成も可能であるし、ベルト部材とプーリ部材とで構成することも可能である。
【符号の説明】
【００５３】
１１  灯具本体
１２  電源部
２１  筐体
２２  灯体
２３  灯体支持部
２４  カバー
３１  開口
５１  ラッチ機構
５２  スライド可動機構（可動機構）
７１  挿通口
１００  照明器具
Ｃ  天井
【図１】
2017182931.tif 000003
【図２】
2017182931.tif 000004
【図３】
2017182931.tif 000005
【図４】
2017182931.tif 000006
【図５】
2017182931.tif 000007
【図６】
2017182931.tif 000008
【図７】
2017182931.tif 000009
【図８】
2017182931.tif 000010
【図９】
2017182931.tif 000011
【図１０】
2017182931.tif 000012
【図１１】
2017182931.tif 000013